(57)【要約】【課題】移動等に際してトレーのガタ付きがなくて静粛性に優れ、しかもトレーの着脱も容易なナースカートを提供する。【解決手段】トレー８は、カート本体の支柱に取付けられたコ字形のブラケット７で支持されている。トレー８の左右側部は縦長溝１５を有する二重構造であり、縦長外壁１９がブラケット７の下部内向き張り出し片２７に載ってスライドする。ブラケット７は樹脂製であり、下部内向き張り出し片２７には前後ストッパー３７，３５と補助ストッパー３６とを設けており、ブラケット７の上部内向き張り出し片２６にはばね体３８，３９を一体に設けている。トレー８はブラケット７に嵌まっている状態ではばね体３８，３９で押されているため、走行中等にガタ付いたり弾みで前進したりすることはない。【選択図】図５
2015092952.tif 000002
【特許請求の範囲】
【請求項１】
左右の支柱を有する移動自在なカート本体と、前記左右支柱の間に配置されるトレーとを備えており、前記左右支柱には、上下の内向き張り出し片を有する正面視略コ字形で前記トレーが前後動自在に嵌まるブラケットを設けており、前記ブラケットの上部又は側部に、前記トレーを弾性的に押すばね体を設けている、
トレー付きカート。
【請求項２】
前記トレーの左右側部は、下向きに開口した前後長手の縦長溝を有する二重構造になっており、前記縦長溝を挟んで外側の部分が前記ブラケットの下部内向き張り出し片で支持されて、前記縦長溝の上底に位置した部分に上から前記ばね体が当たるようになっている一方、
前記ブラケットにおける下部内向き張り出し片のうち前記トレーの縦長溝に位置した部位に、前記トレーの後ろコーナー縁が当たることで前記トレーの前後動ストロークを規制する前ストッパー及び後ろストッパーと、前記トレーを略押し込み切った状態で手前にずれ移動することを阻止する補助ストッパーとを上向きに突設しており、前記前ストッパーと補助ストッパーとは、前記ばね体に抗してトレーの前コーナー縁を上向き動させることで、当該トレーの前コーナー縁が乗り越え得る高さになっている、
請求項１に記載したトレー付きカート。
【請求項３】
前記ブラケットは樹脂製であり、当該ブラケットの上部内向き張り出し片に、前記トレーの側部上面に当たるように前記ばね体を一体に設けている、
請求項１又は２に記載したトレー付きカート。
【請求項４】
前記ブラケットの上部内向き張り出し片に、前記ばね体が、手前から後ろに向けて片持ち梁状に延びるか又は後ろから手前に向けて片持ち梁状に延びるように形成されており、前記ばね体の自由端部を側面視で下向き凸に湾曲させている、
請求項１〜３のうちのいずれかに記載したトレー付きカート。
【発明の詳細な説明】
【技術分野】
【０００１】
本願発明は、例えば医療機関で使用されているナースカート（或いはナースワゴン）のようなトレー付きカートに関するものである。
【背景技術】
【０００２】
キャスタを備えた移動自在なカートの一種として、天板付きで左右支柱の間にトレーを多段に配置したものがあり、病院のような医療機関ではナースカートと呼ばれて広く使用されている。トレーは左右支柱の内面に取り付けた前後長手のブラケットで支持されており、特許文献１に記載されたものは、ブラケットを正面視コ字形に形成して、トレーの左右上端縁に設けたフランジをブラケットに嵌め込むことでトレーの前後動を許容すると共に、ブラケットにおける下片の前端に上向きの突起を設けて、トレーを持ち上げて突起を乗り越えさせることでトレーの引出しを可能にしている。
【先行技術文献】
【特許文献】
【０００３】
【特許文献１】特開２００９−１７９７３号公報
【発明の概要】
【発明が解決しようとする課題】
【０００４】
さて、カートは移動させて使用されるが、特許文献１のようにトレーのフランジがブラケットに嵌まっただけであると、移動による振動によってトレーがずれ動いてカタカタと騒音が発生するおそれがある。また、カートが止まったときの慣性力でトレーが前進してしまったり、エレベータへの乗り降りなどでカートが傾いた場合もトレーが飛び出すおそれがある。
【０００５】
また、物品の出し入れはトレーを引出した状態で行われるが、手がトレーに触れたり物品がトレーに触れることでトレーが押し込み方向に動いてしまうといった不具合も懸念される。
【０００６】
本願発明は、このような現状を改善すべく成されたものである。
【課題を解決するための手段】
【０００７】
本願発明は様々な構成を含んでおり、これを各請求項で特定している。このうち請求項１の発明は、左右の支柱を有する移動自在なカート本体と、前記左右支柱の間に配置されるトレーとを備えており、前記左右支柱には、上下の内向き張り出し片を有する正面視略コ字形で前記トレーが前後動自在に嵌まるブラケットを設けており、前記ブラケットの上部又は側部に、前記トレーを弾性的に押すばね体を設けている。
【０００８】
請求項２の発明は請求項１を具体化したもので、まず、前記トレーの左右側部は、下向きに開口した前後長手の縦長溝を有する二重構造になっており、前記縦長溝を挟んで外側の部分が前記ブラケットの下部内向き張り出し片で支持されて、前記縦長溝の上底に位置した部分に上から前記ばね体が当たるようになっている。
【０００９】
更に、前記ブラケットにおける下部内向き張り出し片のうち前記トレーの縦長溝に位置した部位に、前記トレーの後ろコーナー縁が当たることで前記トレーの前後動ストロークを規制する前ストッパー及び後ろストッパーと、前記トレーを略押し込み切った状態で手前にずれ移動することを阻止する補助ストッパーとを上向きに突設しており、前記前ストッパーと補助ストッパーとは、前記ばね体に抗してトレーの前コーナー縁を上向き動させることで、当該トレーの前コーナー縁が乗り越え得る高さになっている。
【００１０】
請求項３の発明は請求項１又は２を具体したもので、この発明では、前記ブラケットは樹脂製であり、当該ブラケットの上部内向き張り出し片に、前記トレーの側部上面に当たるように前記ばね体を一体に設けている。
【００１１】
請求項４の発明は、請求項１〜３のうちのいずれかにおいて、前記ブラケットの上部内向き内向き張り出し片に、前記ばね体が、手前から後ろに向けて片持ち梁状に延びるか又は後ろから手前に向けて片持ち梁状に延びるように形成されており、前記ばね体の自由端部を側面視で下向き凸に湾曲させている。
【発明の効果】
【００１２】
本願発明では、トレーはブラケットによって前後動自在にガイドされるが、トレーがブラケットに設けたばね体で下方又は内側に押されているため、カートの移動等に際してガタついて騒音が発生したり、押し込んでいたトレーが飛び出すような不具合を防止できる。また、トレーが任意の位置に引き出した状態においてばね体で押さえられていることにより、人の手が少し触れたり物が軽く当ったりしてもずれ動くことを防止できるため、トレーを安定させた状態で物品の出し入れを容易に行うことができる。
【００１３】
請求項２の構成によると、トレーの前後動を許容しつつ、後ろストッパーと補助ストッパーとで押し込み切った状態に保持できるため、移動による振動や傾き等によってトレーが飛び出すことをより確実に防止できる。また、前後のストッパーはトレーの溝に隠れているため、美感にも優れている。
【００１４】
請求項１，２ではブラケットは例えば板金製とすることも可能であるが、請求項３のようにブラケットを樹脂製にしてばね体を一体に設けると、加工の手間を無くしてコストを抑制することができる。また、ばね体も樹脂製であるため、トレーの前後動に際してこすれ音が発生することも防止できる。
【００１５】
ばね体の形態は様々に具体化できるが、請求項４のように前後方向に向いた片持ち梁状の形態を採用すると、請求項３のようにばね体を一体成形した場合であってもばね体を上下方向に大きく変形させることができるため、ストッパーがある程度の高さであっても、これを乗り越えてトレーを引出したり押し込んだりすることを支障なく行える。従って、押し込み状態に保持する機能を確実化しつつ、前後動や着脱も容易に行える。更に、請求項４ではばね体の自由端部が丸みを帯びているため、トレーの前後動をスムースに行える利点もある。
【図面の簡単な説明】
【００１６】
【図１】実施形態に係るカートを前上方から見た斜視図である。
【図２】同じく後ろから見た斜視図である。
【図３】（Ａ）は分離斜視図、（Ｂ）はブラケットを後ろから見た斜視図である。
【図４】ブラケットと支柱との関係を示す斜視図である。
【図５】（Ａ）はトレーとブラケットとの分離斜視図、（Ｂ）は側部の縦断正面図で図６の VB-VB視断面図である。
【図６】図５（Ｂ）のVI-VI 視断面図である。
【図７】トレーを後ろに引き出した状態での図６と同じ位置での断面図である。
【発明を実施するための形態】
【００１７】
(1).カートの概略
次に、本願発明の実施形態を図面に基づいて説明する。本実施形態は医療機関で使用させているナースカートに適用しており、このナースカートは、平面視略Ｈ形で前後左右にキャスタ１を設けたベース２と、ベース２の後端寄り部位から立設した左右の支柱３と、支柱３に上下動自在に装着した昇降ロッド４と、昇降ロッド４の上端に受け具５を介して固定された天板６とを有している。ベース２と支柱３はカート本体の主要部材である。
【００１８】
そして、左右支柱４の内側面に前後長手の５段のブラケット７が取付けられており、各ブラケット７の対にトレー８が前後動自在で装着されている。なお、図示のトレー８は浅いタイプであり、深底タイプのトレー８を使用する場合は、配置できる段数は少なくなる場合がある。また、ブラケット７の取付け高さは段階的に調節できる。
【００１９】
支柱３は、ベース２における前後長手の部材のうち横長部材が連結されている部分に立設しており、図３（Ａ）に示すように、トレー配置空間に向いて略偏平状の金属板製内側板９と、この内側板９に固定されたチャンネル状の金属板製外側板１０とを主要部材としており、従って、中空構造になっている。昇降ロッド４はガスシリンダを使用しており、図３（Ａ）のとおり、内側板９には、ガスシリンダの固定筒が嵌まる保持筒１１を固定している。
【００２０】
天板６の後端には、押し引き移動に際して手で掴むハンドル１２を設けている。ハンドル１２を掴んだ使用者から見て右側の昇降ロッド４の上端に固定した金具５には、ガスシリンダのロックを解除するためのレバー１３を設けている。また、天板６の前端部には、載せた物品の脱落を防止するための枠材１４を設けている。
【００２１】
(2).ブラケット及びトレー
次に、ブラケット７及びトレー８の構造を説明する。トレー８は樹脂製で上向きに開口しているが、図５（Ａ）に示すように、四周には、左右側部に位置した下向き開口で前後長手の縦長溝１５と、前後に位置して下向き開口で左右方向に長い横長溝１６とが互いに連通した状態に形成されている。このため、トレー８の前部と後部は横長外壁１７と横長内壁１８との二重構造になっており、トレー８の左右側部は、縦長外壁１９と縦長内壁２０との二重構造になっている。
【００２２】
トレー８における内外の壁１７，１８，１９，２０は、長溝１５，１６を横切る姿勢の多数の第１リブ２１で連結されている。また、第１リブ２１は、長溝１５，１６の長手方向に延びる第２リブ２２で連結されている。トレー８の外周部は内外の壁１７〜２０によって下向き開口Ｕ字状になっており、内外の壁１７〜２０は、上端縁を構成する縦長上底部２３及び横長上底部２４を介して繋がっている。トレー８は深さが異なるものがあり、深いタイプでは、内壁１８，２０は外壁１７，１９の下方にはみ出ている。
【００２３】
ブラケット７は樹脂製であり、支柱３の内側板９に重なる側板２５と、その上端から内向きに突出した略水平状の上部内向き張り出し片２６と、側板２５の下端から内向きに突出した略水平状の下部内向き張り出し片２７とから成っており、従って、ブラケット７はおおよそコ字型の形態を成している。例えば図２に明示するように、ブラケット７は支柱３から殆ど手前側のみに突出している。勿論、ブラケット７は支柱３の前後両側にはみ出る状態に配置してもよい。
【００２４】
図３，４に示すように、ブラケット７は、その後部が上下２本のビス２８で支柱３の内側板９に固定されている。この場合、内側板９のうち上下タップ穴２９の間の部位にスリット状の前後長手の位置決め穴３０を空けている一方、ブラケット７には、位置決め穴２９にきっちり嵌まる位置決め突起３１を外向きに突設している。タップ穴２９と位置決め穴３１のセットは上下多段に多数設けている。このため、ブラケット７の高さをトレー８の深さ等に合わせて何段階にも変更できる。
【００２５】
図４に示すように、支柱３の内側板９は内向き凸状の形態になっている一方、ブラケット７における側板２５の外面には、内側板９に重なる平坦部２５ａが形成されているが、平坦部３１の後端は段部２５ｂになっており、段部２５ｂと内側板９との重なりによっても、ブラケット７はガタ付きのない安定した姿勢に保持されている。例えば図３（Ｂ）のとおり、ブラケット７の側板２５にはビス２８の頭が嵌まるボス部３２を内向きに突設している。
【００２６】
例えば図４から理解できるように、ブラケット７のうち支柱３に重なる平坦部２５ａの手前側の部分は、支柱３の内側面よりも少し左右内側に寄っている。従って、側板２５のうち平坦部２５ａの前端の箇所には平面視で若干の段がついている。
【００２７】
例えば図３（Ｂ）や図５（Ｂ）のとおり、ブラケット７における側板２５の内面には、トレー８の左右位置を規制する前後長手の補助スライダー３３を横向き突設している。ブラケット７の下部内向き張り出し片２７は側板２５とほぼ同じ長さであり、図５（Ｂ）に示すように、トレー８の縦長外壁１９の下端縁が、下部内向き張り出し片２７のうち付け根寄りの部位にスライド自在に載るようになっている。
【００２８】
そして、ブラケット７の縦長内壁２５と下部内向き張り出し片２７との間の上下間隔は、トレー８の縦長外壁１９の高さよりもある程度大きい寸法になっており、このため、トレー８はブラケット７の内部で若干の寸法だけ上下動し得る。
【００２９】
そして、例えば図３（Ｂ）のとおり、ブラケット７における下部内向き張り出し片２７の後端部に、トレー８のうち縦長溝１５の後端に位置した後ろコーナー縁３４ａが当たることでトレー８の引き込み位置（前進位置）を規制する後ろストッパー３５と、その少し手前に位置した上向きの補助ストッパー３６とを設けている。図５のとおり、トレー８の後ろコーナー縁３４ａが後ろストッパー３５に手前から当たることで、前進させ切ったトレー８の後退が規制される。
【００３０】
ブラケット７における下部内向き張り出し片２７のうち、後ろストッパー３５のすぐ手前の箇所には補助ストッパー３６を上向きに突設し、前端寄りの部位には前ストッパー３７を上向きに突設している。前端寄りの部位には前ストッパー３７を上向きに突設している。これら前ストッパー３７と補助ストッパー３６とは、トレー８の縦長溝１５に露出した部分に設けている。
【００３１】
このため、トレー８の後ろコーナー縁３４ａが補助ストッパー３６に後ろから当たることで、前進させたトレー８が手前に飛び出ることが規制されて、図７のように、トレー８の前コーナー縁３４ｂが前ストッパー３７に手前から当たることで、トレー８の後ろ向き引出し限度位置が規制される。トレー８の飛び出し防止を確実化させるため、補助ストッパー３６の後面は略鉛直姿勢になっている。
【００３２】
トレー８の前コーナー縁３４ｂが前ストッパー３７を乗り越えることで、トレー８を着脱できる。このため、前ストッパー３７は、前コーナー縁３４ｂの乗り越えが容易になるように、前後の面が傾斜した側面視山形の形状になっている。また、トレー８の前コーナー縁３４ｂが補助ストッパー３６を乗り越えて後ろに移動することで、トレー８をブラケット７から後ろに抜き外すことができる。そこで、前コーナー縁３４ｂの後ろ向き乗りを容易にするため、補助ストッパー３６の前面は傾斜面になっている。
【００３３】
そして、ブラケット７の上部内向き張り出し片２６に、トレー８の縦長上底部２３に弾性的に当接する前後のばね体３８，３９を一体に設けている。図６に明示するように、前部ばね体３８は前ストッパー３７よりも手前に位置しており、後部ばね体３９は前ストッパー３７と補助ストッパー３６との間のおおよそ中間部に配置されている。
【００３４】
また、前部ばね体３８は、後端が自由端になる前後長手の形態であり、後ろに向けて斜め下向きに延びた片持ち梁状になっており、自由端部（後端部）は側面視で下向き凸に湾曲している。他方、後部ばね体３９は前端が自由端になる前後長手の形態であって、手前に向けて下向きに延びた片持ち梁状になっており、自由端部（後端部）は側面視で下向き凸に湾曲している。ばね体３８，３９の自由端部が下向き凸に湾曲しているため、トレー８の前後動に際して、それらばね体３８，３９に滑らかに当たって撓み変形もスムースになる。
【００３５】
前部ばね体３８のすぐ後ろと後部ばね体３９のすぐ手前とには、それらばね体３８，３９の自由端の先端よりも下に突出した規制リブ４０を設けている。これら規制リブ４０は、トレー８をブラケット７から抜き外したり、外したトレー８をブラケット７に装着したりするに際して、トレー８から外側にはみ出た紐類等がばね体３８，３９に引っ掛かることを防止するためのものである。
【００３６】
例えば図３（Ｂ）に示すように、ブラケット７における上部内向き張り出し片２６の後部は、補助ストッパー３６の上方に露出するように斜めに切欠かれている（切欠き部を符号４１で示す。）。図６から理解できるように、上張り出し片２６のうち切欠き４１を形成している後端部は、若干低くなっている。
【００３７】
(3).まとめ・その他
以上の構成において、トレー８を一杯に押し込んだ状態では、既述のとおり、トレー８の後ろコーナー縁３４ａが後ろストッパー３５と補助ストッパー３６との間に位置していることにより、カートが振動したり前傾したりしても、トレー８が手前に大きく前進動することはない。また、押し込み切った状態ではトレー８は前後のばね体３８，３９で上から押さえられているため、カートの移動に際して振動することはなく、このためカタカタといった騒音の発生もなくて静粛性に優れている。
【００３８】
例えば図６に示すように、トレー８の前後長さはブラケット７の前後長さよりも大きくなっており、トレー８は、手前側に押し込み切った状態で、ブラケット７の手前にオーバーハングしており、従って、トレー８の後端は天板２の後端よりも手前にずれている。これは、カートを机として使用するに際して、トレー８が使用者の足の邪魔にならないようにするためである。
【００３９】
押し込み切ったトレー８にある程度の力をかけて後ろに引くと、後ろコーナー縁３４ａがばね体３８，３９に抗して後ろストッパー３５を乗り越えることにより、トレー８を後ろに引出しことができる。後ろコーナー縁３４ａの乗り越えを容易ならしめるため、後ろストッパー４５の前面は前傾状に傾斜させている（トレー８を引出し場合、トレー８の後端縁に指先を掛けて少し持ち上げ気味にすることが普通なので、後ろストッパー４５の前面を傾斜させなくても、トレー８は容易に引出せるといえる。）。
【００４０】
既述のとおり、トレー８を前後動させるに際しての後退位置は、図７に示すように、トレー８の前コーナー縁３４ｂが前ストッパー３７に当たることで規制される。後退させ切った状態でトレー８には後部ばね体３９しか当たっていない。そして、図７に黒矢印で示すようにトレー８の後端部を下向きに押すと、トレー８がブラケット７における下部内向き張り出し片２７の後端縁を支点にして後部ばね体３８に抗して回動することにより、図７に白抜き矢印で示すようにトレー８の前端が上昇する。従って、トレー８は、その後端を下に押した状態で後ろに引くことにより、殆ど抵抗無しに抜き外すことができる。
【００４１】
トレー８をブラケット７に装着する場合は、手前をやや下にした傾斜姿勢でブラケット７に嵌め込んで押し込んだらよい。この場合、ブラケット７における上部内向き張り出し片２６の後端部を切欠いているため、トレー８は、前コーナー縁３４ｂを後ろストッパー３５及び補助ストッパー３６よりも手前に位置させた状態からブラケット７に嵌め込むことができる。このため、トレー８の装着は殆ど力を掛けずにスムースに行える。
【００４２】
ブラケット７にセットして前向きに押し込む過程で、トレー８がまず後部ばね体３９に当たり、次いで、前コーナー縁３４ｂが前ストッパー３７を乗り越えて、それからトレー８が前部ばね体３８に当たり、最後に、後ろコーナー縁３４ａが後部ストッパー３５を乗り越える。前後のばね体３８，３９がトレー８に当たった状態では、トレー８は左右縦長外壁１９がブラケット７の下部内向き張り出し片２７に広い範囲で載った安定姿勢になっているので、後ろストッパー３５の乗り越えもスムースに行われる。
【００４３】
トレー８の前後動や着脱に際してばね体３８，３９は大きく弾性変形するが、両ばね体３８，３９は片持ち梁状態であるため、トレー８の上部内向き内向き張り出し片２６との間隔をできるだけ小さくしつつ、変形量を大きく取ることができる。このため、コンパクトでありながら、トレー８の前後動や着脱機能を確保できる。
【００４４】
また、ばね体３８，３９は前後方向に延びているため、弾性変形のための十分な長さを確保することができる。このため、耐久性にも優れている。また、先端は湾曲しているため、トレー８の押し込みに際しても引出しに際しても、トレー８はつっかかり現象を生じることなくスムースにスライドする。
【００４５】
実施形態のように前後のばね体３８，３９を設けると、押し込み切った状態での安定性を高くしてガタ付きを的確に防止できる利点がある。
【００４６】
図示の実施形態ではばね体３８，３９を上部内向き張り出し片２６に設けたが、ばね体は、側板２５のみ又は側板２５と上部内向き張り出し片２６との両方に設けることも可能である。また、ばね体３８，３９を板ばね等で別部材として製造して、これをブラケット７に固定することも可能である。ばね体は、前後方向の１カ所のみ又は３カ所以上の複数箇所に設けることも可能である。
【００４７】
実施形態ではブラケット７をビス２８で支柱３に固定したが、ブラケット７は爪のような係合手段を固定支柱に引っ掛けることで取り付けてもよい。また、敢えて述べるまでもないが、本願発明は天板が昇降式でないカートにも適用できる。
【産業上の利用可能性】
【００４８】
本願発明はナースカート等のカートに実際に適用できる。従って、産業上の利用可能性を有する。
【符号の説明】
【００４９】
２  カート本体を構成するベース
３  カート本体を構成する支柱
４  昇降ロッド
６  天板
７  ブラケット
８  トレー
９  支柱の内側板
１５  縦長溝
１９  縦長外壁
２０  縦長内壁
２３  縦長上底部
２５  ブラケットの側板
２６  ブラケットの上部内向き張り出し片
２７  ブラケットの下部内向き張り出し片
３４  トレーの後ろコーナー縁
３５  後ろストッパー
３６  補助ストッパー
３７  前ストッパー
３８  前部ばね体
３９  後部ばね体
【図１】
2015092952.tif 000003
【図２】
2015092952.tif 000004
【図３】
2015092952.tif 000005
【図４】
2015092952.tif 000006
【図５】
2015092952.tif 000007
【図６】
2015092952.tif 000008
【図７】
2015092952.tif 000009